(57)【要約】【課題】仕掛けを構築する手間が少なくてすみ、水中への沈降時の沈降速度が早められ、水流の影響で流されることを最小限とする。【解決手段】重量物としておもり本体２と、おもり本体を回転自在に支持する回転機構３とを備え、おもり本体の側面には水中への沈降時に回転機構３においておもり本体に回転を生じさせるためのらせん溝２ａ，２ｂが形成されている。  仮想平面内で略くの字状に屈曲させられたアーム部材と、アーム部材の屈曲部付近に一体に固定されたおもり本体とを備え、アーム部材の両端には釣り糸などを連携する連携部が形成され、おもり本体が略偏平形状、断面略紡錘形状又は略球形形状であり、その偏平面がアーム部材の屈曲仮想平面と略平行又はおもり本体の中心がアーム部材の屈曲部に固定されたり、アーム部材の先端に第２おもり本体が固定されたり、アーム部材が撚り線からなるものでもよい。【選択図】図１
2008148622.tif 000002
【特許請求の範囲】
【請求項１】
釣り糸の先端などに取り付けられ、当該釣り糸を水中に沈降させるための重量物としてのおもりとして使用される釣り用おもりにおいて、重量物としての重量を備えたおもり本体と、一端が釣り糸などに連携され他端が前記おもり本体に連結されて前記おもり本体を回転自在に支持する回転機構とを備え、前記おもり本体の側面には水中への沈降時に前記回転機構において前記おもり本体に回転を生じさせるためのらせん溝が形成されていることを特徴とする釣り用おもり。
【請求項２】
前記おもり本体の側面には、水中に投入して沈降させて回転させた際などに、魚類の注目をひく注目構造が付されていることを特徴とする請求項１記載の釣り用おもり。
【請求項３】
前記注目構造が、回転した際などに魚類の注目を引く色彩又は模様などを前記らせん溝又はらせん溝に沿って施したものであることを特徴とする請求項２記載の釣り用おもり。
【請求項４】
前記注目構造が、光を反射する反射体片を前記おもり本体の側面などに貼り付けたものや、光を反射する反射体粉末を前記おもり本体に混入するなどの方法により埋設したものであることを特徴とする請求項２記載の釣り用おもり。
【請求項５】
釣り糸の先端などに取り付けられ、当該釣り糸を水中に沈降させるための重量物としてのおもりとして使用される釣り用おもりにおいて、一の仮想平面内で略くの字状に屈曲させられたアーム部材と、当該アーム部材の屈曲部付近に一体に固定された重量物としての重量を備えたおもり本体とを備え、前記アーム部材の両端には釣り糸などが連携させられる連携部が形成されていることを特徴とする釣り用おもり。
【請求項６】
釣り糸の先端などに取り付けられ、当該釣り糸を水中に沈降させるための重量物としてのおもりとして使用される釣り用おもりにおいて、一の仮想平面内で略くの字状に屈曲させられたアーム部材と、当該アーム部材の屈曲部付近に一体に固定された重量物としての重量を備えた第１おもり本体と、前記アーム部材の一端に固定された重量物としての重量を備えた第２おもり本体とを備え、前記アーム部材の両端には釣り糸などが連携させられる連携部が形成されていることを特徴とする釣り用おもり。
【請求項７】
前記おもり本体が略偏平板形状をしており、当該おもり本体がその偏平面が前記アーム部材の屈曲された仮想平面と略平行になるように固定されていることを特徴とする請求項５又は６記載の釣り用おもり。
【請求項８】
前記おもり本体が断面が略紡錘状をした偏平板形状をしており、当該おもり本体がその偏平面が前記アーム部材の屈曲された仮想平面と略平行になるように固定されていることを特徴とする請求項５又は６記載の釣り用おもり。
【請求項９】
前記おもり本体が略球形形状をしており、当該おもり本体がその中心が前記アーム部材の屈曲部に略位置するように固定されていることを特徴とする請求項５又は６記載の釣り用おもり。
【請求項１０】
前記アーム部材が細線をよじった撚り線から形成されていることを特徴とする請求項５又は６記載の釣り用おもり
【発明の詳細な説明】
【技術分野】
【０００１】
本発明は、釣り糸の先端などに取り付けて釣り糸を水中に沈降させるための重量物として使用される釣り用おもりに関し、特に海や河川における船釣りにおいて使用されることが好適な釣り用おもりに関する。
【背景技術】
【０００２】
従来、海や河川における船釣りにおいては、いわゆる胴付き仕掛け、天秤仕掛け、引きずり仕掛けなどの仕掛けが用いられている。
【発明の開示】
【発明が解決しようとする課題】
【０００３】
ところで、胴付き仕掛けでは、釣り糸の先端に取り付けたおもり本体を水中に落下させ沈降させるが、おもり本体が水の抵抗を受け沈降速度が低下して、所望の水深まで沈降させる時間が長くなる傾向があった。
【０００４】
天秤仕掛けや引きずり仕掛けでは、天秤という部品に形成されたループにおもり本体に形成されたフックなどの連携部を係合させて取り付けなければならず手間がかかるとともに、複雑な形状をしたおもり本体を複雑な構造で天秤にぶら下げるように取り付けるので、胴付き仕掛けと同様に、おもり本体の水中への沈降時に水の抵抗を受け、所望の水深までの沈降時間が長くなる傾向があった。また、天秤やおもり本体が水流の影響を受けて流され釣り糸や釣り針を所望の位置に配置することができないことがあった。
【０００５】
本発明は、かかる事情に鑑みてなされたもので、仕掛けを構築する手間が少なくてすみ、水中への沈降時の沈降速度が早められ、水流の影響で流されることが最小限にできる釣り用おもりを提供することを目的とする。
【課題を解決するための手段】
【０００６】
（１）本発明の請求項１記載の釣り用おもりは、釣り糸の先端などに取り付けられ、当該釣り糸を水中に沈降させるための重量物としてのおもりとして使用される釣り用おもりにおいて、重量物としての重量を備えたおもり本体と、一端に釣り糸などが連携され他端が前記おもり本体に連結されて前記おもり本体を回転自在に支持する回転機構とを備え、前記おもり本体の側面には水中への沈降時に前記回転機構において前記おもり本体に回転を生じさせるためのらせん溝が形成されていることを特徴とする。
（２）本発明の請求項２記載の釣り用おもりは、前記おもり本体の側面には、水中に投入して沈降させて回転させた際などに、魚類の注目をひく注目構造が付されていることを特徴とする。
（３）本発明の請求項３記載の釣り用おもりは、前記注目構造が、回転した際などに魚類の注目を引く色彩又は模様などを前記らせん溝又はらせん溝に沿って施したものであることを特徴とする。
（４）本発明の請求項４記載の釣り用おもりは、前記注目構造が、光を反射する反射体片を前記おもり本体の側面などに貼り付けたものや、光を反射する反射体粉末を前記おもり本体に混入するなどの方法により埋設したものであることを特徴とする。
（５）本発明の請求項５記載の釣り用おもりは、釣り糸の先端などに取り付けられ、当該釣り糸を水中に沈降させるための重量物としてのおもりとして使用される釣り用おもりにおいて、一の仮想平面内で略くの字状に屈曲させられたアーム部材と、当該アーム部材の屈曲部付近に一体に固定された重量物としての重量を備えたおもり本体とを備え、前記アーム部材の両端には釣り糸などが連携させられる連携部が形成されていることを特徴とする。
（６）本発明の請求項６記載の釣り用おもりは、釣り糸の先端などに取り付けられ、当該釣り糸を水中に沈降させるための重量物としてのおもりとして使用される釣り用おもりにおいて、一の仮想平面内で略くの字状に屈曲させられたアーム部材と、当該アーム部材の屈曲部付近に一体に固定された重量物としての重量を備えた第１おもり本体と、前記アーム部材の一端に固定された重量物としての重量を備えた第２おもり本体とを備え、前記アーム部材の両端には釣り糸などが連携させられる連携部が形成されていることを特徴とする。
（７）本発明の請求項７記載の釣り用おもりは、前記おもり本体が略偏平板形状をしており、当該おもり本体がその偏平面が前記アーム部材の屈曲された仮想平面と略平行になるように固定されていることを特徴とする。
（８）本発明の請求項８記載の釣り用おもりは、前記おもり本体が断面が略紡錘状をした偏平板形状をしており、当該おもり本体がその偏平面が前記アーム部材の屈曲された仮想平面と略平行になるように固定されていることを特徴とする。
（９）本発明の請求項９記載の釣り用おもりは、前記おもり本体が略球形形状をしており、当該おもり本体がその中心が前記アーム部材の屈曲部に略位置するように固定されていることを特徴とする。
（１０）本発明の請求項１０記載の釣り用おもりは、前記アーム部材が細線をよじった撚り線から形成されていることを特徴とする。
【発明の効果】
【０００７】
（１）釣り用おもりを水中へ投入して沈降させるとおもり本体の側面に形成されたらせん溝にそっと流れる水によりおもり本体に回転力が付加され、おもり本体は回転機構を介して釣り糸に連携されているので、おもり本体は回転機構部により回転しつつ水中に沈降させられ、回転によりおもり本体に推進力が付与され水の抵抗が弱められ、短時間でおもり本体を所望の水深まで沈降させることができる。
（２）おもり本体には注目構造を設ければ、おもり本体が回転させられた際などに魚類の注目を引くことができ、集魚効果を高めることができる。
（３）注目構造として色彩又は模様などを付与したものでは、回転などにより色彩が変化するなどにより魚類の注目を引き、魚類の集魚効果を高めることができる。
（４）注目構造として光の反射をする反射体片を貼り付けたものや反射体粉末の混入埋設したものでは、回転などにより光線の反射が起こり魚類の注目を引き、魚類の集魚効果を高めることができる。
（５）アーム部材におもり本体が一体に固定されたものでは、従来のように別部品のおもり本体を天秤に取り付ける手間を省くことができ、短時間で天秤仕掛けや引きずり仕掛けを構築することができる。
（６）おもり本体がアーム部材に一体に固定されているので、天秤仕掛けや引きずり仕掛けを構築する手間が省ける。また、アーム部材の先端に第２おもり本体を固定したものでは、第２おもり本体が水中で揺動して当該先端に連携された仕掛け部などが揺れて、集魚効果を高めることができる。第１及び第２おもり本体を偏平板状形状としたものでは、釣り用おもりが略鉛直面内に位置するようにいわゆる立って配置される。
（７）おもり本体を偏平板形状としたものでは、おもり本体の偏平面が鉛直面に位置した状態で水中に沈降させられるので、水の抵抗が小さくなり沈降する時間や引き上げる時間が短縮でき、さらに、おもり本体の偏平面が鉛直面に位置するので、その偏平面が水流に対して抵抗となり、釣り用おもりが水流で流されてしまうことを低減することができる。
（８）おもり本体を断面が略紡錘状の偏平板形状としたものでは、おもり本体の偏平面が鉛直面に位置した状態で水中に沈降させられるので、水の抵抗が小さくなり沈降する時間や引き上げる時間が短縮でき、さらに、おもり本体の偏平面が鉛直面に位置するので、その偏平面が水流に対して抵抗となり、釣り用おもりが水流で流されてしまうことを低減することができる
（９）球形のおもり本体をアーム部材に固定したものでは、一体化されたアーム部材が水中に沈降させられるので、従来のように別部品のおもり本体を天秤にぶら下げるように連携したものに比べて、水の抵抗が小さくなり沈降させる時間や引き上げる時間を短縮することができ、さらに、おもり本体が水流に対して抵抗となり、釣り用おもりが水流で流されてしまうことも低減できる。
（１０）アーム部材を撚り線にしたものでは、アーム部材自体に弾性復元力を持たせることができ、しかも細線をよじることにより製造できるので製造が容易であり、おもり本体を鋳造などにより一体に固定した場合にアーム部材にしっかりと固定させることができる。
【発明を実施するための最良の形態】
【０００８】
図面を参照して、本発明の実施の形態に係る釣り用おもりについて説明する。
【０００９】
図１は、本発明の実施の一形態に係る釣り用おもり１を示すものである。本釣り用おもり１は、釣り糸の先端などに取り付けられ、釣り糸を水中に沈降させるために重量物としてのおもりとして使用される釣り用おもりである。図示するように、重量物としての重量を備えたおもり本体２と、おもり本体２に取り付けられ先端に釣り糸が連携される回転機構３とを備え、この回転機構３によりおもり本体２を回転可能に支持している。
【００１０】
おもり本体２は鉛又は鉛合金を鋳型に鋳造して製造され、おもり本体２の側面には水中への沈降時におもり本体２に回転を生じさせるためのらせん溝２ａ，２ｂが形成されている。らせん溝２ａ，２ｂ以外の部分は黒色に着色され、らせん溝２ａ内は赤色に着色され、らせん溝２ｂ内は青色に着色されている。
【００１１】
おもり本体２の上端にはループ部材２ｃがおもり本体２と一体に埋設されて固定されている。ループ部材２ｃには回転機構３が連携されている。回転機構３は図では３個の回転機構部品３ｃを備えている。各回転機構部品３ｃは、内部にベアリング部材が収納されたケース部材３ａと、ケース部材３ａ内に回転自在に挿入された回転子３ｂとを備える。ケース部材３ａの上部にはリング状部材３ｄが取り付けられ、回転子３ｂの先端にはリング状部材３ｅが取り付けられている。ループ部材２ｃとリング状部材３ｅ、リング状部材３ｄとリング状部材３ｅを鎖状に係合させ３個の回転機構部品３ｃとおもり本体２とを直列に連結してある。
【００１２】
図２に基づいて、上述の釣り用おもり１の使用方法及び作用について説明する。この釣り用おもり１は、胴付き仕掛けにおいて使用するものであり、釣り糸Ｊの先端部には回転機構３が取り付けられたおもり本体２が取り付けられ、海などの水面に浮かべられたボートＢ上に乗った釣り人Ｈは、まず釣り竿Ｓに連携された釣り糸Ｊの先端部に取り付けられたおもり本体２を水中に投下して、次いで釣り糸Ｊに取り付けられた釣り針Ｋを所望ポイントの所望の水深位置に配置させ、釣り針Ｋに魚類がかかるのを待って、釣り糸Ｊを引き上げる。
【００１３】
ここで、本実施の形態に係るおもり本体２の表面にはらせん溝２ａ，２ｂが形成されているので、おもり本体２が水中に鉛直方向に沿って落下・沈降する際に、らせん溝２ａ，２ｂに沿って流れる水によっておもり本体２が水中で回転機構３の部分で回転させられる。そして、回転による水の流れによっておもり本体２は推進力を受けて鉛直方向に加速させられて沈降するので、所望の水深まで沈降する時間が短縮される。
【００１４】
おもり本体２にはらせん溝又はらせん溝に沿って着色が施されているので、回転に伴って色彩が変化し、魚類の注目を引き、集魚効果が期待できる。
【００１５】
なお、おもり本体２に設ける注目構造としては、水中に投入して沈降させて回転させた際などに、魚類の注目を引くものであれば、例えば、光を反射する反射体片を貼り付けたものや、光を反射する反射体粉末を前記おもり本体に混入埋設したものであってもよい。
【００１６】
図３〜図８に、本発明の実施の他の形態に係る釣り用おもりを示す。
【００１７】
図示するものは、釣り糸の先端などに取り付けられ、釣り糸を水中に沈降させるための重量物としてのおもりとして使用される釣り用おもりである。なお、これらの釣り用おもりはいわゆる天秤とも称されている釣り具である。
【００１８】
図３は本発明の他の形態に係る釣り用おもり１０を示し、図６（ａ）は釣り用おもり１０の側面図を示す。釣り用おもり１０は、一の仮想平面内で略くの字状に屈曲させられたステンレス製の針金などの棒状のアーム部材１３と、アーム部材１３の屈曲部付近に鋳造などにより一体に固定された重量物としての重量を備えたおもり本体１２とを備えている。アーム部材１３の両端には釣り糸などを連携する連携部１３ａ，１３ｂが形成され、連携部１３ａには釣り竿側の釣り糸Ｊが連携され、連携部１３ｂには釣り針Ｋなどが配置された仕掛け部Ｌが連携される。釣り用おもり１０では、図６（ａ）に示すように、おもり本体１２は略偏平板形状をしており、おもり本体１２がその偏平面がアーム部材１３の屈曲された仮想平面と略平行になるように一体に固定されている。なお、図中では、アーム部材１３の屈曲角度は約１３５°となっており、アーム部材１３の長辺と短辺との長さの比率は２：１となっているが、使用目的に応じて適宜の角度や寸法及び寸法比率を採用することができる。
【００１９】
図４は本発明の更に他の形態に係る釣り用おもり２０を示し、図６（ｂ）は釣り用おもり２０の側面図を示す。釣り用おもり２０は、一の仮想平面内で略くの字状に屈曲させられたステンレス製の針金などの棒状のアーム部材２３と、アーム部材２３の屈曲部付近に鋳造などにより一体に固定された重量物としての重量を備えたおもり本体２２とを備えている。アーム部材２３の両端には、前述の実施の形態と同様に、釣り糸などを連携する連携部２３ａ，２３ｂが形成され、連携部２３ａには釣り竿側の釣り糸が連携され、連携部２３ｂには釣り針などが配置された仕掛け部が連携される。釣り用おもり２０では、図６（ｂ）に示すように、おもり本体２２は断面略紡錘状した偏平円形形状をしており、おもり本体２２がその偏平面がアーム部材２３の屈曲された仮想平面と略平行になるように固定されている。
【００２０】
図５は本発明の更に他の形態に係る釣り用おもり３０を示し、図６（ｃ）は釣り用おもり３０の側面図を示す。釣り用おもり３０は、一の仮想平面内で略くの字状に屈曲させられたステンレス製の針金などの棒状のアーム部材３３と、アーム部材３３の屈曲部付近に鋳造などにより一体に固定された重量物としての重量を備えたおもり本体３２とを備えている。アーム部材３３の両端には、前述の実施の形態と同様に、釣り糸などを連携する連携部３３ａ，３３ｂが形成され、連携部３３ａには釣り竿側の釣り糸が連携され、連携部３３ｂには釣り針などが配置された仕掛け部が連携される。釣り用おもり３０では、図６（ｃ）に示すように、おもり本体３２が略球形形状をしており、おもり本体３２がその中心がアーム部材３３の屈曲部に位置するように固定されている。
【００２１】
図７は本発明の更に他の形態に係る釣り用おもり４０を示し、図８は図７中のＡ矢視方向から見た図であり、上述の実施の形態に係る釣り用おもりと同様に、釣り糸の先端などに取り付けられ、当該釣り糸を水中に沈降させるための重量物としてのおもりとして使用される。
【００２２】
一の仮想平面内で略くの字状に屈曲させられた略棒状のアーム部材４３と、アーム部材４３の屈曲部付近に一体に鋳造などにより固定された重量物としての重量を備えた第１おもり本体４２ａと、アーム部材４３の一端（下記連携部４３ｂ付近）に鋳造などにより固定された重量物としての重量を備えた第２おもり本体４２ｂとを備え、アーム部材４３の両端には釣り糸などが連携させられる連携部４３ａ，４３ｂが形成されている。アーム部材４３は、ステンレス製の針金などの細線をよじった撚り線から形成されている。
【００２３】
なお、上記おもり本体１２，２２，２３，４２ａ，４２ｂを鋳造などによりアーム部材１３，２３，３３，４３に一体に固定した例を示したが、おもり本体１２，２２，２３，４２ａ，４２ｂをアーム部材１３，２３，３３，４３に重合させて配置しておもり本体１２，２２，２３，４２ａ，４２ｂを強打しておもり本体１２，２２，２３，４２ａ，４２ｂをアーム部材１３，２３，３３，４３に絡み合うように変形させるようにしてもよい。
【００２４】
次に、図９又は図１０を参照して本実施の形態に係る釣り用おもり１０の使用方法及び作用について説明する。釣り用おもり２０，３０、４０についても同様な使用法がされるので説明を省略する。
【００２５】
図９に示すものは、天秤仕掛けによる使用例を示すものである。釣り糸Ｊの先端部には釣り針Ｋが取り付けられた仕掛け部Ｌがアーム部材１３の連携部１３ｂに取り付けられ、釣り竿Ｓに取り付けられた釣り糸Ｊの先端はアーム部材１３の連携部１３ａに取り付けられている。海などの水面に浮かべられたボートＢ上に乗った釣り人Ｈは、釣り竿Ｓに連携された釣り糸Ｊの先端部に取り付けられた釣り用おもり１０を水中に投下して、釣り糸Ｊ及び仕掛け部Ｌに取り付けられた釣り針Ｋを所望ポイントの所望の水深位置に配置させ、釣り針Ｋに魚類がかかるのを待って、釣り糸Ｊ及び仕掛け部Ｌを引き上げる。
【００２６】
図１０に示すものは、引きずり仕掛けによる使用例を示すものである。釣り糸Ｊの先端部には釣り針Ｋが取り付けられた仕掛け部Ｌがアーム部材１３の連携部１３ｂに取り付けられ、釣り竿Ｓに取り付けられた釣り糸Ｊの先端はアーム部材１３の連携部１３ａに取り付けられている。海などの水面に浮かべられたボートＢ上に乗った釣り人Ｈは、釣り竿Ｓに連携された釣り糸Ｊの先端部に取り付けられた釣り用おもり１０を水中に投下して、釣り糸Ｊ及び仕掛け部Ｌに取り付けられた釣り針Ｋを所望ポイントの所望の水深位置に配置させ、ボートを運航させて釣り糸Ｊを牽引して釣り針Ｋに魚類がかかるのを待って、釣り糸Ｊ及び仕掛け部Ｌを引き上げる。
【００２７】
本釣り用おもり１０，２０，３０，４０ではアーム部材１３，２３，３３，４３におもり本体１２，２２，３２，４２ａ，４２ｂが一体に固定されているので、従来のように別部品のおもり本体を天秤に取り付ける手間が省け、短時間で天秤仕掛けや引きずり仕掛が構築できる。
【００２８】
釣り用おもり１０，２０，４０では、おもり本体１２，２２，４２ａ，４２ｂの偏平面が鉛直面に沿った状態で水中に沈降させられるので、水の抵抗が小さくなり沈降させる時間や引き上げる時間が短縮できる。さらに、おもり本体１２，２２，４２ａ，４２ｂの偏平面が鉛直面にほぼ位置するので、その偏平面が水流に対して抵抗となり、釣り用おもりが水流で流されてしまうことが低減できる。また、釣り用おもり１０，２０，３０，４０を鉛直面に立たせることができる。
【００２９】
釣り用おもり３０ではアーム部材３３におもり本体３３が一体に固定され一体となった状態で水中に沈降させられるので、従来のように別部品のおもり本体を天秤にぶら下げるように連携したものに比べて形状的に水の抵抗が小さくなり沈降させる時間や引き上げる時間が短縮でき、しかも、おもり本体が水流に対して抵抗となり、釣り用おもりが水流で流されてしまうことも低減できる。
【００３０】
釣り用おもり４０においては、アーム部材４３に細線をよじった撚り線を用いているので、アーム部材４３自体に弾性復元力をより強くもたせることができる。第１及び第２おもり本体４２ａ，４２ｂを鋳造などにより固定した場合には、撚り線のより部分に第１及び第２おもり本体４２ａ，４２ｂをしっかりと固定することができる。
【００３１】
なお、前記実施の形態に係る釣り用おもりと同様に、おもり本体１０，２０，３０，４０に光を反射する反射体片を貼り付けたり、光を反射する反射体粉末を混入埋設したり、色彩や模様を着色したりする、魚類の注目を引く注目構造を設けてもよい。
【図面の簡単な説明】
【００３２】
【図１】本発明の実施の一形態に係る釣り用おもりを示す図である。
【図２】本発明の実施の一形態に係る釣り用おもりの使用状態を示す図である。
【図３】本発明の実施の他の形態に係る釣り用おもりを示す図である。
【図４】本発明の実施の更に他の形態に係る釣り用おもりを示す図である。
【図５】本発明の実施の更に他の形態に係る釣り用おもりを示す図である。
【図６】図３〜図５に示す釣り用おもりを側面から見た側面図である。
【図７】本発明の実施の更に他の形態に係る釣り用おもりを示す図である。
【図８】図７に示す釣り用おもりを図中Ａ方向から見た図である。
【図９】本発明の実施の他の形態に係る釣り用おもりの使用状態を示す図である。
【図１０】本発明の実施の他の形態に係る釣り用おもりの使用状態を示す図である。
【符号の説明】
【００３３】
１  釣り用おもり
２  おもり本体
２ｃ  ループ部材
３  回転機構
３ａ  ケース部材
３ｂ  回転子
３ｃ  回転機構部品
３ｄ，３ｅ  リング部材
１０，２０，３０，４０  釣り用おもり
１２，２２，３２、４２ａ，４２ｂ  おもり本体
１３，２３，３３，４３  アーム部材
１３ａ，２３ａ，３３ａ，４３ａ  連携部（釣り糸側）
１３ｂ，２３ｂ，３３ｂ，４３ｂ  連携部（仕掛け側）
Ｂ  ボート
Ｈ  釣り人
Ｊ  釣り糸
Ｋ  釣り針
Ｓ  釣り竿
Ｌ  仕掛け部
【図１】
2008148622.tif 000003
【図２】
2008148622.tif 000004
【図３】
2008148622.tif 000005
【図４】
2008148622.tif 000006
【図５】
2008148622.tif 000007
【図６】
2008148622.tif 000008
【図７】
2008148622.tif 000009
【図８】
2008148622.tif 000010
【図９】
2008148622.tif 000011
【図１０】
2008148622.tif 000012